(57)【要約】【課題】部品点数が少なく低コストで製造可能な構造で、デフロスタ機能を持たせつつ、シールド特性と透光性を両立でき、視認特性が維持された電磁波シールド板を提供する。【解決手段】電磁波シールド板１は、ガラス基板２と、このガラス基板２の一方の面にＡｌからなる導電層３とを有するものであり、導電層３が形成されたガラス基板２の面に、導電層３と接触しないように、かつ、導電層３と略同一高さでヒータ配線４が設けられており、導電層３およびヒータ配線４は、導電層３とヒータ配線４との境界部を除いて連続する所定パターンからなる。【選択図】図１
2019176090.tif 000002
【特許請求の範囲】
【請求項１】
ガラス基板と、このガラス基板の一方の面にＡｌからなる導電層とを有する電磁波シールド板であって、
前記導電層が形成された前記ガラス基板の面に、前記導電層と接触しないように、かつ、前記導電層と略同一高さでヒータ配線が設けられており、
前記導電層および前記ヒータ配線は、前記導電層と前記ヒータ配線との境界部を除いて連続する所定パターンからなることを特徴とする電磁波シールド板。
【請求項２】
前記所定パターンが格子状であり、
前記導電層と前記ヒータ配線との境界部に、前記格子状の格子の辺の一部が切り離された切り離し部が形成されていることを特徴とする請求項１記載の電磁波シールド板。
【請求項３】
前記所定パターンが不規則的な形状の複数の多角形からなり、
前記導電層と前記ヒータ配線との境界部に、前記多角形の辺の一部が切り離された切り離し部が形成されていることを特徴とする請求項１記載の電磁波シールド板。
【請求項４】
前記切り離し部は、該切り離し部が形成された辺の延在方向に直交する方向において、該辺の両端が互いに対向するように形成されていることを特徴とする請求項２または請求項３記載の電磁波シールド板。
【請求項５】
前記ヒータ配線がＡｌからなり、前記ガラス基板に設けられた該ヒータ配線の面積が、前記導電層の面積の２０％未満であることを特徴とする請求項１から請求項４までのいずれか１項記載の電磁波シールド板。
【発明の詳細な説明】
【技術分野】
【０００１】
本発明は、主にディスプレイの前面に設置し、電磁波のディスプレイへの侵入またはディスプレイから外部への放射を防止するための電磁波シールド板（電磁波シールドウィンドウ）に関する。
【背景技術】
【０００２】
ＰＤＰ（プラズマディスプレイパネル）、ＣＲＴ（陰極線管）、ＶＦＤ（蛍光表示管）、ＬＣＤ（液晶ディスプレイ）などのディスプレイでは、その前面に板状やフィルム状の電磁波シールド部材が設置されている。電磁波シールド部材により、ディスプレイから発生する電磁波が外部に漏洩することを防止し、また、ディスプレイ外部からのノイズアタックによる誤作動などを防止している。このような電磁波シールド部材には、電磁波遮断（シールド）特性に加えて、ディスプレイの視認特性を確保するために高い透光性が要求される。このシールド特性と透光性を両立させるため、透明導電性薄膜を所定のパターン（例えばメッシュ状）でガラス基材に貼りつけたものが提案されている（特許文献１参照）。
【０００３】
また、電磁波シールド板は屋外でも使用されており、その用途に対応してデフロスタ機能を有するものが知られている。この電磁波シールド板は、一般に、プリントされたヒータ配線を埋め込んだ加熱用のガラス基板と、電磁波シールド用のガラス基板とを張り合わせて製造される。このシールド板は、ヒータ配線が加熱されることで、シールド板の曇りを防止している。
【先行技術文献】
【特許文献】
【０００４】
【特許文献１】国際公開２０１４−１４８５８９号
【発明の概要】
【発明が解決しようとする課題】
【０００５】
しかしながら、デフロスタ機能を有する電磁波シールド板は、２枚のガラス基板を相互に張り合わせる必要があり、部品点数および作製工数が増加し、製造コストが高くなる傾向がある。また、２枚のガラス基板を重ねることで、電磁波シールド板としての透光性が低下し、視認特性が低下するおそれがある。また、仮に一枚のガラス基板にデフロスタ機能とシールド機能を持たせようとしても、ヒータ配線を目立たずに設けることは容易ではない。
【０００６】
本発明はこのような問題を解決するためになされたものであり、部品点数が少なく低コストで製造可能な構造でデフロスタ機能を持たせつつ、シールド特性と透光性を両立でき、視認特性が維持された電磁波シールド板を提供することを目的とする。
【課題を解決するための手段】
【０００７】
本発明の電磁波シールド板は、ガラス基板と、このガラス基板の一方の面にＡｌ（アルミニウム）からなる導電層とを有する電磁波シールド板であって、上記導電層が形成された上記ガラス基板の面に、上記導電層と接触しないように、かつ、上記導電層と略同一高さでヒータ配線が設けられており、上記導電層および上記ヒータ配線は、上記導電層と上記ヒータ配線との境界部を除いて連続する所定パターンからなることを特徴とする。
【０００８】
上記所定パターンが格子状であり、上記導電層と上記ヒータ配線との境界部に、上記格子状の格子の辺の一部が切り離された切り離し部が形成されていることを特徴とする。
【０００９】
上記所定パターンが不規則的な形状の複数の多角形からなり、上記導電層と上記ヒータ配線との境界部に、上記多角形の辺の一部が切り離された切り離し部が形成されていることを特徴とする。
【００１０】
上記切り離し部は、該切り離し部が形成された辺の延在方向に直交する方向において、該辺の両端が互いに対向するように形成されていることを特徴とする。
【００１１】
上記ヒータ配線がＡｌからなり、上記ガラス基板に設けられた該ヒータ配線の面積が、上記導電層の面積の２０％未満であることを特徴とする。
【発明の効果】
【００１２】
本発明の電磁波シールド板は、導電層が形成されたガラス基板の面に、該導電層と接触しないように、かつ、該導電層と略同一高さでヒータ配線が設けられており、１枚のガラス基板にデフロスタ機能とシールド機能を持たせているので、部品点数が少なく低コストで製造可能であり、２枚のガラス基板を用いることによる透光性の低下を回避できる。また、導電層およびヒータ配線は、該導電層と該ヒータ配線との境界部を除いて連続する所定パターン（例えば格子状）からなるので、導電層とヒータ配線との境界が目立ちにくい。その結果、シールド特性と透光性を両立でき、視認特性が維持できる。
【００１３】
所定のパターンが格子状であり、導電層とヒータ配線との境界部に、格子状の格子の辺の一部が切り離された切り離し部が形成されているので、全体として１つの格子状と見えるため、上記境界部を目立ちにくくできる。また、格子状は形成が容易であり製造コストの低減が図れる。
【００１４】
所定のパターンが不規則的な形状の複数の多角形からなるので、規則的な形状（例えば格子状）の場合における導電層形成後のモアレ抑制のための微調整をすることなく、モアレの発生を抑制できる。
【００１５】
切り離し部は、その切り離し部が形成された辺の延在方向に直交する方向において、該辺の両端が互いに対向するように形成されているので、上記境界部をより目立ちにくくできる。
【００１６】
上記導電層およびヒータ配線がＡｌからなり、導電層には高いシールド性（導電性）が求められる一方、ヒータ配線には高い発熱性が求められる。この点、ガラス基板に設けられた該ヒータ配線の面積が、導電層の面積の２０％未満であるので、導電層のシールド性を維持しつつ、ヒータ配線の発熱性を確保できる。
【図面の簡単な説明】
【００１７】
【図１】本発明の電磁波シールド板の一例を示す正面図などである。
【図２】図１のＡ部拡大図である。
【図３】図１のＢ部拡大図である。
【図４】ヒータ配線の構成について他の例を示した図である。
【図５】ヒータ配線の構成について他の例を示した図である。
【図６】切り離し部の他の例などを示した図である。
【図７】本発明の電磁波シールド板の他の例を示す正面図である。
【図８】他の形態におけるヒータ配線の配設部分の拡大図である。
【図９】導電層の格子状にかかわらずヒータ配線を設けた場合の図である。
【発明を実施するための形態】
【００１８】
本発明の電磁波シールド板の一例を図１に基づいて説明する。図１（ａ）は電磁波シールド板を示す正面図であり、図１（ｂ）は導電層のＸ部拡大図である。図１（ａ）に示すように、電磁波シールド板１は、透光性のガラス基板２と、ガラス基板２の一方の面に設けられたＡｌからなる導電層３とを備える。導電層３は、開口部を有する所定パターンに形成されている。
【００１９】
図１（ｂ）に示すように、導電層３は、規則的な形状の複数の四角形（正方形）で構成された格子状であり、該格子間が開口部６である。開口部６は、導電層の非形成部であり、ガラス基板２の表面が露出している。この格子状は、微細格子状であり、導電層分は一見して目視で透明に見える透光部となる。所定パターンを格子状とする場合、通常、線幅Ｗとして３μｍ〜１００μｍ、ピッチ幅Ｐとして０．２ｍｍ〜１ｍｍ程度とする。開口率を小さくすればシールド特性は向上するが、ディスプレイの透過率が悪くなるので、要求特性に応じて開口率は決められる。また、連続した細線を用いた形状であれば、六角や縦長の長方形、ひし形、台形などの任意のパターンにできる。
【００２０】
また、図１（ａ）において、電磁波シールド板１は、導電層３が形成されたガラス基板２の面に、ヒータ配線４を有している。ヒータ配線４は、通電により発熱する熱線であり、Ａｌで構成されている。
【００２１】
ヒータ配線４は、ガラス基板２の略全域にわたり配設されている。図１では、ヒータ配線４は、略矩形状に等間隔に折り曲げられた蛇行形状をしており、ガラス基板２の端部で折り返され、該両端が接続部５にそれぞれ接続されている。ここで、ヒータ配線４よりも内側、つまりヒータ配線４に囲まれた導電層を３ｂとし、ヒータ配線４よりも外側の導電層を３ａとする。導電層３ｂは、閉じた領域となり外部に導通されておらず、導電層３ａに比べシールド性の面で不利となる。そのため、ガラス基板上における、導電層３ｂの面積は、導電層３全体（導電層３ａおよび導電層３ｂ）の面積の５０％未満となっており、好ましくは４０％未満であり、より好ましくは３０％未満である。
【００２２】
接続部５は、バッテリーなどの電源部（図示省略）に接続される。接続部５を介してヒータ配線４に通電することで、ヒータ配線４が発熱し、発生した熱がガラス基板２を温める。これにより、ガラス基板２に付着した結露による曇りを取り除くことができる。ヒータ配線４は、ガラス基板２の曇りを防げる程度にガラス基板２の略全域に配設されていればよく、配設形状は図１の蛇行形状に限らない。また、図１の構成では、ヒータ配線４の両端が接続部５に接続されるようにしたが、接続部の構成はこれに限らない。例えば、ガラス基板の長手方向の両端に接続部として一対のバスバーを設け、一方のバスバーから他方のバスバーへ複数のヒータ配線を接続させてもよい。
【００２３】
本発明の電磁波シールド板は、一枚のガラス基板を用いて構成され、デフロスタ機能とシールド機能を備えたシールド板となっている。このシールド板において、ヒータ配線は、導電層が形成されたガラス基板の面に、該導電層と接触しないように、かつ、該導電層と略同一高さで設けられている。略同一高さとは、ガラス基板の面方向において、導電層に対して、ヒータ配線の一部または全部が重なっている状態であり、例えば、導電層とヒータ配線とが異なる層として積層されている状態は含まれない。ここで、ヒータ配線を導電層と接触しないように配設する構成として、例えば図９に示す構成が挙げられる。図９では、格子状の導電層３に隙間１１が形成され、その隙間１１にヒータ配線４が配設されている。ヒータ配線４から導電層３までの距離は、ある程度離す必要がある。このような構成では、導電層３とヒータ配線４との境界が目立ってしまい、視認特性の点から好ましくない。
【００２４】
これに対して、本発明の電磁波シールド板では、導電層（シールド機能を有する部分）と、ヒータ配線（デフロスタ機能を有する部分）とを、連続する所定パターンから構成し、絶縁が必要な境界部のみ、そのパターンを非連続とした（微細ギャップで切り離した）ことを特徴としている。なお、図１では、説明の便宜上、ヒータ配線４を際立たせて記載しているが、導電層３およびヒータ配線４が、これらの境界部を除いて連続する所定パターンから構成されるため、実際には、一見して全体が連続した１つの所定パターンで形成されているように見える。これについて、図２および図３に基づき説明する。なお、以下の図２〜図５では、導電層を実線で示し、ヒータ配線を点線で示している。
【００２５】
図２および図３は、それぞれ図１におけるＡ部およびＢ部の拡大図である。いずれの図においても、導電層３の所定パターンが格子状であり、導電層３とヒータ配線４との境界部には、格子の辺の一部が切り離された切り離し部７が形成されている。
【００２６】
図２に示す部位（Ａ部）では、図中の左側の導電層３ａと図中右側の導電層３ｂとの間に、ヒータ配線４が導入されている。導電層３ａとヒータ配線４との境界部、および導電層３ｂとヒータ配線４との境界部に形成された切り離し部７によって、導電層およびヒータ配線が非接触の状態となっている。図２において、ヒータ配線４は、格子状の格子の一部を繋いで構成されている。具体的には、ヒータ配線４は、一本の配線で構成され、格子の２つの辺を繰り返し単位としてジグザグ状に蛇行して形成されている。なお、この繰り返し単位は、図２（２辺）に限らず、１辺や３辺以上とすることができる。また、繰り返し単位は一定でなく、可変とすることができる。
【００２７】
図３に示す部位（Ｂ部）は、図１においてヒータ配線４が直角に曲がって配設された部位である。この部位においても、図２と同様に、導電層３ａ、３ｂとヒータ配線４との境界部に形成された切り離し部７によって、導電層とヒータ配線が非接触の状態となっている。図３では、格子における切り離し部の形成パターンを変更することで、ヒータ配線の配設方向を変更している。図２および図３の構成では、ヒータ配線４が主に一本の配線で構成されるので、後述するように発熱性の点で好ましい。
【００２８】
ヒータ配線４の構成について、他の例を図４および図５に示す。図２（および図３）では、ヒータ配線４を格子状の格子の一部で構成、つまり各格子の辺を繋いで構成したが、図４では、辺を共有して隣接する格子同士を繋いで構成している。具体的には、ヒータ配線４は、複数の配線で構成され、３つの格子を繰り返し単位としてジグザグ状に蛇行して形成されている。また、図５では、頂点を共有する格子同士を繋いで直線状に構成している。図４および図５の構成では、ヒータ配線４が格子同士を繋ぎ複数の配線で構成されるので、格子の一部が断線してもヒータ配線全体としての導通を確保できる。
【００２９】
ここで、格子の辺において切り離し部を形成する位置は、特に限定されない。例えば図２〜図４に示すように、格子の辺の略中央位置に形成してもよく、また、ヒータ配線寄りの位置や導電層寄りの位置などに形成してもよい。しかし、ヒータ配線の構成によっては、切り離し部の位置が固定されることで、導電層とヒータ配線との境界が目立ってしまうことも考えられる。例えば、図５では、導電層３ｂとヒータ配線４との境界部における切り離し部７は、すべてヒータ配線４寄りの位置に形成されている。この場合、切り離し部７が規則的に配列され、導電層３ｂとヒータ配線４との境界部が直線状に形成されるため目立つおそれがある。これに対し、例えば、導電層３ａとヒータ配線４との境界部では、切り離し部の位置として、導電層３寄りの位置（７ａ）、略中央位置（７ｂ）、ヒータ配線４寄りの位置（７ｃ）の３つの位置が設定され、切り離し部が各位置に順に形成されている。これにより、切り離し部の位置が適度に分散され、上記境界部を一層目立たなくすることができる。
【００３０】
以上、図２〜図５のいずれにおいても、シールド機能を有する導電層と、デフロスタ機能を有するヒータ配線とが、これらの境界部を除いて連続する格子状とされており、全体として１つの格子状と見えるため、該境界部を目立ちにくくできる。
【００３１】
図６（ａ）には、図２で示した切り離し部の拡大図を示す。図６（ａ）の切り離し部７において、該辺の一方の端部８は、突き合わせ部８ａと、突き合わせ部８ａから該辺の延在方向に突出したリップ部８ｂとを有する。該辺の他方の端部８’は、リップ部８ｂに対向する突き合わせ部８ａ’と、突き合わせ部８ａ’から該辺の延在方向に突出して突き合わせ部８ａと対向するリップ部８ｂ’とを有する。これらは、相補的に対応するように形成されている。この場合、一対のリップ部８ｂ、８ｂ’は、辺の延在方向と直交する方向で互いに対向するように形成される。また、この形態では、辺の延在方向と交差する方向で切った断面のいずれにおいても、辺の両端部８、８’のうち少なくともいずれか一方の端部が確認されるように形成されている。
【００３２】
切り離し部７の形状は、図６（ａ）の形状に限定されず、導電層３とヒータ配線４とが非接触の状態となるように、格子の辺の一部を切り離す形状であれば特に制限されない。例えば、辺の延在方向に対して直交する方向で分割した形状であってもよく（図６（ｂ））、辺の延在方向に対して斜めに交差する方向で分割した形状であってもよい（図６（ｃ））。図６（ｃ）の場合、一対の両端部は、辺の延在方向と直交する方向で互いに対向するように形成される。導電層とヒータ配線の境界部をより目立たなくできることから、図６（ａ）や図６（ｃ）の形状が好ましい。なお、図６（ｃ）における辺の中心軸に対する交差角度は適宜設定可能であり、ヒータ配線の構成や、辺における切り離し部の位置などを加味して、導電層とヒータ配線との境界が目立たなくなるように調整するとよい。
【００３３】
切り離し部７における格子の切り離し幅Ｗ０（図６参照）は、３μｍ〜１００μｍであることが好ましい。より好ましくは５μｍ〜５０μｍである。この切り離し幅Ｗ０のより好ましい範囲（５μｍ〜５０μｍ）は、格子のピッチ幅Ｐ（図１（ｂ）参照）との比で表すと、該ピッチ幅Ｐが０．２ｍｍ〜１ｍｍである場合、Ｗ０／Ｐ＝（１／２００）〜（１／４）となる。このような範囲内とすることで、境界部をより目立ちにくくできる。
【００３４】
図１〜図６の形態において、ヒータ配線４の幅は３μｍ〜１００μｍ程度であり、導電層の格子の線幅Ｗと略同一であることが好ましい。また、ヒータ配線４の厚みは５００ｎｍ〜５０００ｎｍが適当であり、導電層の膜厚と略同一であることが好ましい。つまり、ヒータ配線４は、導電層３と同寸法のＡｌ薄膜で形成される金属薄膜であることが好ましく、導電層３と同様のＡｌ薄膜を接続部５に接続することでデフロスタとして利用している。
【００３５】
上述したように、電磁波シールド板１は、導電層およびヒータ配線がＡｌ薄膜で形成されている。ここで、デフロスタ機能を有するシールド板としては、導電層に高い導電性が求められる一方、ヒータ配線に高い発熱性が求められる。つまり、導電層ではＡｌ薄膜の抵抗が小さいことが望ましく、ヒータ配線ではＡｌ薄膜の抵抗が大きいことが望ましい。電磁波シールド板１では、ガラス基板に設けられたヒータ配線４の面積が、ガラス基板上の導電層３全体の面積に対して２０％未満であり、好ましくは１０％未満であり、より好ましくは５％未満である。ヒータ配線の面積の割合を上記数値範囲とすることで、導電層では導電性を高くしてシールド性を維持でき、ヒータ配線では発熱性を高くしてデフロスタ機能を確保できる。
【００３６】
本発明の電磁波シールド板に用いるガラス基板は、透光性絶縁基板であり、ソーダライムガラス、石英ガラス、硼珪酸ガラス、アルカリ成分を含まない無アルカリガラスなどを採用できる。本発明では、高い透過率を有し、かつ、一般建材の窓ガラスに使用され非常に安価であることから、ソーダライムガラスを用いることが好ましい。また、ガラス基板２の厚みは、０．２〜１．８ｍｍ程度、好ましくは０．５〜１．２ｍｍ程度である。
【００３７】
本発明に用いる導電層はＡｌからなるＡｌ薄膜である。導電層は、Ａｌの固体ターゲット（蒸着材）を用いて、真空プロセスである、真空蒸着またはスパッタリングにより形成される。特に、均一な膜の形成が可能であり、安定的なシールド特性および視認特性を確保しやすいことから、スパッタリングによる成膜を行なうことが好ましい。スパッタリングは、上記固体ターゲットに加速したアルゴンイオンを衝突させて、ターゲット表面から飛び出した原子または分子をガラス基板上に付着して成膜する。
【００３８】
また、上述したように、ヒータ配線が導電層と同じＡｌ薄膜である場合には、ヒータ配線および導電層は、スパッタリングなどによって同時に形成される。ヒータ配線と導電層との境界部に形成される切り離し部は、後述の湿式エッチングにより開口部とともに形成される。この方法によれば、別途の工程を必要とせず、簡便に上述の電磁波シールド板を製造できる。
【００３９】
導電層の膜厚は、５００ｎｍ〜５０００ｎｍが適当である。５００ｎｍ未満であると、所望のシールド特性を確保できない場合がある。一方、５０００ｎｍをこえると、シールド特性には優れるものの、工数が増えて製造コストが高くなる。より好ましくは８００ｎｍ〜３５００ｎｍである。
【００４０】
また、本発明の電磁波シールド板は、ガラス基板と導電層との間に中間層が形成されることが好ましい。この場合、中間層は、（１）Ｃｒ、Ｍｏ、Ｗから選ばれる少なくとも１つの金属を含む薄膜である。この中間層は、可視光の干渉により入射光を吸収して黒色に見える層（黒色層）である。Ａｌ導電層は、可視光（波長約４００〜７００ｎｍ）の反射率が極めて高く、ギラツキを生じやすいため、ガラス基板上にＡｌ導電層のみを形成する場合では、ディスプレイの視認特性を著しく低下させるおそれがある。そのため、上記中間層を、ガラス基板とＡｌ導電層との間に介在させることで、可視光の反射率を低減させることが好ましい。
【００４１】
中間層は、上述のＡｌ薄膜の形成と同様に、スパッタリングなどにより形成できる。また、中間層には、（２）Ａｌの酸化物およびＴｉの酸化物から選ばれる少なくとも１つの酸化物を所定量含むことが好ましい。Ｔｉの酸化物としてはＴｉＯ２が、Ａｌの酸化物としてはＡｌ２Ｏ３がそれぞれ挙げられる。これら酸化物を所定量含むことで、反射率の更なる低減が図れる。中間層の膜厚は、５ｎｍ〜５００ｎｍが適当である。５ｎｍ未満であると、十分な黒色化が図れず、反射率の低減を図れない場合がある。一方、５００ｎｍをこえると、可視光の干渉効果による反射光低減効果が得られないおそれがある。より好ましくは、５０ｎｍ〜２００ｎｍである。この膜厚は、中間層材料の屈折率に応じて材料毎に決められる。
【００４２】
図１に示す、導電層３の開口部６（中間層を有する構成では、導電層および中間層の開口部）は、湿式エッチングにより形成される。一例として、エッチングパタンのマスク層をレジスト材料を用いてスクリーン印刷などにより形成し、所定のエッチング液を用いて湿式エッチングにより開口部に相当する部分を除去することで得られる。エッチング液としては、中間層を有する構成では、導電層および中間層の両材料を同時にエッチングできる液を選択すると製造効率に優れる。例えば、りん酸系エッチング液が好適である。
【００４３】
本発明の電磁波シールド板の他の例を図７に基づいて説明する。図７は、電磁波シールド板の他の例を示す平面図であり、図１と同様に、電磁波シールド板１’は、ガラス基板２と導電層３とヒータ配線４と接続部５を有する。電磁波シールド板１’において、導電層３の所定パターンは不規則（ランダム）に形状が異なる複数の多角形からなっている。それぞれの多角形において、その内部領域が開口部（導電層３の非形成部）であり、その多角形の辺が導電層３の形成部分である。ここで、図７の所定パターンを構成する多角形は、正多角形以外の任意の頂点数の多角形とすることが好ましい。また、所定パターンを構成する多角形の角をＲ形状としてもよい。
【００４４】
図示は省略するが、図７においても、図１と同様に、導電層３（導電層３ａおよび導電層３ｂ）とヒータ配線４との境界部に、多角形の辺を切り離す切り離し部が形成されている。この場合、導電層３とヒータ配線４とが、これらの境界部を除いて連続する不規則な多角形とされており、全体として不規則な形状となっているため、該境界部を目立ちにくくできる。
【００４５】
多角形の寸法や形状は、透光性などの電磁波シールド板として要求される所望特性を満たす範囲であれば特に限定されない。例えば、多角形は、その辺の幅が３μｍ〜１００μｍであり、１辺の長さ（ピッチ）が０．２ｍｍ〜１ｍｍとする。
【００４６】
図７に示す例では、導電層およびヒータ配線の所定パターンを不規則な形状の多角形で構成し、所定パターンの規則性を低くすることを特徴としている。例えば、所定パターンの規則性が高い格子状の導電層の場合、ＬＣＤなどに貼り合わせると表示画面上にモアレが発生しやすい。従来の格子状の導電層では、モアレの発生を抑制するため、格子のパターン形状を微調整する工程が必要となるため、作製工数の増加が欠点であった。これに対し、図７に示す形態では、所定パターンをランダム型にすることで、張り合わせるディスプレイ（例えば、ＬＣＤ）の種類によらずモアレを防止できる。これにより、パターン形状を微調整する必要がなくなり、作製工数の削減が図れる。また、所定パターンをランダム型にすることで、切り離し部が規則的に配列されることが回避され、境界部が目立つことを防げる。
【００４７】
上述した電磁波シールド板では、ヒータ配線としてＡｌを用いたが、これに限らず、銅、ニッケル、モリブデン、タンタル、タングステン、ニッケル−クロム系、鉄−クロム−アルミ系などの導電性の金属または合金を用いることができる。
【００４８】
また、本発明の電磁波シールド板は、ガラス基板上に、ヒータ配線が導電層と接触しないように、かつ、導電層と略同一高さで、目立たないように設けられる構成であればよく、上記の形態に限定されない。例えば、図８には、他の形態の電磁波シールド板における、ヒータ配線の配設部分の拡大図を示している。図８に示すように、この形態では、導電層が所定パターン形状（格子状）に形成され、その格子状に沿って、ヒータ配線が配設されている。具体的には、ヒータ配線は、格子形状に沿いつつ、切り離し部を介して隣接する格子同士の内部領域を繋ぐように配設されている。
【００４９】
図８には、格子状の各格子を構成する四角形９ａ、９ｂ、９ｃを示している。これら四角形は、四角形９ａと四角形９ｂが互いに隣接しており、四角形９ｂと四角形９ｃが互いに隣接している。これら四角形９ａ、９ｂ、９ｃは、各辺を分割する切り離し部７をそれぞれ有している。具体的には、四角形９ａと四角形９ｂの共通の辺９ａｂに切り離し部７が形成され、四角形９ｂと９ｃの共通の辺９ｂｃに切り離し部７が形成されている。切り離し部７は、該辺における一対の端部が相互に離れた部位であり、ヒータ配線４は、各切り離し部７を介して隣接する四角形同士の内部領域を繋ぐように配設される。なお、切り離し部７の形状は、図６の説明で示したとおりであり、ここでは図６（ａ）を採用している。この形状により、該切り離し部が形成された辺の延在方向に沿った通路が形成され、該辺と略平行な通路にヒータ配線４を配設できるので、ヒータ配線を一層目立ちにくくできる。図８では、四角形９ａ、９ｂ、９ｃの各内部領域、および各切り離し部７が、ヒータ配線４の通路となる。
【００５０】
このように、図８の形態では、ヒータ配線が、格子形状に沿いつつ、各切り離し部を介して格子間を繋ぐように配設されるので、ヒータ配線を目立たずに設けることができる。なお、導電層の所定パターンは格子状に限らず、図７に示すような不規則的な形状の複数の多角形で構成されていてもよい。
【産業上の利用可能性】
【００５１】
本発明の電磁波シールド板は、部品点数が少なく低コストで製造可能な構造でデフロスタ機能を持たせつつ、シールド特性と透光性を両立でき、視認特性が維持できるので、電磁波の遮断を必要とする任意の箇所に使用でき、特に、屋外で使用されるＰＤＰ、ＣＲＴ、ＶＦＤ、ＬＣＤなどのディスプレイの前面に設置する用途に好適に利用できる。
【符号の説明】
【００５２】
１、１’  電磁波シールド板
２  ガラス基板
３  導電層
４  ヒータ配線
５  接続部
６  開口部
７  切り離し部
８、８’  端部
９  格子
【図１】
2019176090.tif 000003
【図２】
2019176090.tif 000004
【図３】
2019176090.tif 000005
【図４】
2019176090.tif 000006
【図５】
2019176090.tif 000007
【図６】
2019176090.tif 000008
【図７】
2019176090.tif 000009
【図８】
2019176090.tif 000010
【図９】
2019176090.tif 000011